(57)【要約】【課題】ポップアップ状態のストロボ等の可動部材と他の部材との干渉を回避して、可動部材を備える機器を小型化する。【解決手段】本体４に対し収納及び突出可能にポップアップ動作する可動部材３のポップアップ構造であって、本体４に対し可動部材３を直線的にポップアップ動作してから傾き動作するように組み付ける。具体的には、可動部材３の本体４内への収納側端部に、本体４内のガイド面に当接可能な傾斜面３ｃを形成する。さらに、可動部材３を本体４から突出する方向に付勢するバネ部材６を備える。【選択図】図２
2015055808.tif 000002
【特許請求の範囲】
【請求項１】
本体に対し収納及び突出可能にポップアップ動作する可動部材のポップアップ構造であって、
前記本体に対し前記可動部材を直線的にポップアップ動作してから傾き動作するように組み付けたことを特徴とする可動部材のポップアップ構造。
【請求項２】
前記可動部材の前記本体内への収納側端部に、前記本体内のガイド面に当接可能な傾斜面を形成したことを特徴とする請求項１に記載の可動部材のポップアップ構造。
【請求項３】
前記可動部材を前記本体から突出する方向に付勢するバネ部材を備えることを特徴とする請求項１または２に記載の可動部材のポップアップ構造。
【請求項４】
前記可動部材はカメラボディに組み込まれるストロボで、
前記カメラボディ背面側にヒンジ結合されて、前記カメラボディ上にチルトアップ動作可能な表示ユニットを備えることを特徴とする請求項１から３のいずれか一項に記載の可動部材のポップアップ構造。
【請求項５】
請求項１から４のいずれか一項に記載のポップアップ構造による可動部材を備えることを特徴とする電子機器。
【発明の詳細な説明】
【技術分野】
【０００１】
本発明は、ストロボ等の可動部材のポップアップ構造と、そのポップアップ構造による可動部材を備える電子機器に関する。
【背景技術】
【０００２】
カメラにおいて、垂直方向にポップアップするストロボを備えるとともに、背面にヒンジ結合してチルトアップ等の姿勢変更可能な表示ユニットを備えるものがある（例えば特許文献１、２参照）。
【０００３】
例えばコンパクトカメラにおいて、図５に示すように、カメラボディ１上に、ストロボ３をポップアップするとともに、表示ユニット７を背面からヒンジ結合部８でチルトアップして所謂自分撮りすることがある。
【０００４】
ストロボ３のポップアップ機構は、図６に示すように、筐体４内のガイド５及びバネ６により構成されている。
ストロボ３は、図示のように、ガイド５に装着されたバネ６の付勢によって筐体４からポップアップした状態に維持される。なお、３ａは発光部、３ｂはバネ押えである。
【先行技術文献】
【特許文献】
【０００５】
【特許文献１】特開２００８−２０３６８３号公報
【特許文献２】特開２０１０−１０３９２１号公報
【発明の概要】
【発明が解決しようとする課題】
【０００６】
しかし、コンパクトカメラにおいては、図５に示したように、ポップアップ状態のストロボ３とチルトアップ状態の表示ユニット７が干渉しやすい。
この干渉を回避するためには、カメラボディ１の厚さを増やして表示ユニット７のヒンジ結合部８をさらに背面方向に移動するなど、カメラの小型化に反する対応が必要になる。  
【０００７】
本発明の課題は、ポップアップ状態のストロボ等の可動部材と他の部材との干渉を回避して、可動部材を備える機器を小型化することである。
【課題を解決するための手段】
【０００８】
以上の課題を解決するため、本発明は、
本体に対し収納及び突出可能にポップアップ動作する可動部材のポップアップ構造であって、
前記本体に対し前記可動部材を直線的にポップアップ動作してから傾き動作するように組み付けたことを特徴とする。
【発明の効果】
【０００９】
本発明によれば、可動部材がポップアップ状態で所定角度だけ傾くことによって、他の部材との干渉を回避することができるため、可動部材を備える機器を小型化することができる。
従って、例えばストロボをポップアップ状態にして表示ユニットをチルトアップ状態にするコンパクトカメラにおいて、チルトアップ状態の表示ユニットに対しポップアップ状態のストロボを前方へ傾けて退避することができるため、カメラボディの厚さを増やすなどの対応が不要となり、カメラを小型化することができる。
【図面の簡単な説明】
【００１０】
【図１】本発明を適用した電子機器の一実施形態の構成としてカメラを示す斜視図で、  ストロボ収納状態の図（ａ）、ストロボポップアップ状態の図（ｂ）、及びストロボポップアップ状態で表示ユニットチルトアップ状態の図（ｃ）である。
【図２】図１（ｃ）のストロボポップアップ状態で表示ユニットチルトアップ状態の側面図である。
【図３】ストロボポップアップ機構を示す縦断面図で、ストロボ収納状態の図（ａ）と、ストロボポップアップ状態の図（ｂ）である。
【図４】変形例のストロボポップアップ構造を示す縦断面図である。
【図５】従来のストロボポップアップ状態で表示ユニットチルトアップ状態の問題点を指摘する側面図である。
【図６】従来のストロボポップアップ機構を示す縦断面図である。
【発明を実施するための形態】
【００１１】
以下、図を参照して本発明を実施するための形態を詳細に説明する。
（実施形態）
図１（ａ）〜（ｃ）は本発明を適用した電子機器の一実施形態の構成としてカメラを示すもので、１はカメラボディ、２はレンズ、３はストロボ（可動部材）、７は表示ユニット（他の部材）、８はヒンジ結合部である。
【００１２】
図示のように、コンパクトカメラで、カメラボディ１には、前面にレンズ２が備えられ、上面に可動部材としてのストロボ３が収納及び突出ポップアップ動作可能に組み付けられている。
そして、カメラボディ１の背面には、他の部材としての表示ユニット７が上端のヒンジ結合部８でカメラボディ１上方の垂直状態までチルトアップ動作可能に備えられている。
【００１３】
図１（ａ）はストロボ３がカメラボディ１に収納されて閉じた状態、図１（ｂ）はストロボ３がカメラボディ１上にポップアップして発光部３ａが露出した状態、図１（ｃ）はストロボ３がポップアップした状態で表示ユニット７がカメラボディ１上にチルトアップした状態の外観をそれぞれ示している。
【００１４】
図２はカメラボディ１から上方にストロボ３がポップアップして前方に傾き、カメラボディ１上方にチルトアップした垂直状態の表示ユニット７と干渉してない状態の側面視を示している。
【００１５】
すなわち、図示のように、カメラボディ１上方にストロボ３が垂直にポップアップ動作して前方に若干傾いた状態となる一方、カメラボディ１上方に表示ユニット７を垂直方向にチルトアップして表示面を前方へ向けた状態にする。これにより所謂自分撮り状態となる。
【００１６】
図３（ａ）及び（ｂ）はストロボ３のポップアップ機構を示すもので、図示のように、ストロボ３は、本体である筐体４の内部のガイド面に沿わせて上下動自在に組み付けられるとともに、ストロボ３内を貫通する棒状のガイド５に沿って上下動自在に組み付けられている。
このガイド５の周囲に装着したコイル状のバネ６がストロボ３内のバネ押え３ｂ部分を常時上方に付勢している。
【００１７】
そして、ストロボ３の後面側下部には、図示のように、所定角度の傾斜面３ｃが形成されている。
なお、筐体４はカメラボディ１の内部に固定される。
【００１８】
図３（ａ）はストロボ３が筐体４と平行を保ちながら下端まで摺動移動した状態、図３（ｂ）はストロボ３がポップアップして前方に傾いた状態をそれぞれ示している。
【００１９】
すなわち、ストロボ３は筐体４と平行を保ちながらガイド面及びガイド５に沿って摺動可能で、ガイド５に装着されたバネ６の付勢によってストロボ３のバネ押え３ｂが上向きの力を受けて、図３（ｂ）に示したように、ストロボ３がポップアップ動作した状態である。
【００２０】
ここで、ストロボ３の後面下部は所定角度に傾斜した傾斜面３ｃになっているため、バネ６の付勢によってストロボ３のバネ押え３ｂが引き続き上向きの力を受けて、ストロボ３が図中反時計回りに回動し、後面下部の傾斜面３ｃが筐体４のガイド面に接触したところで回動が停止する。つまり、ストロボ３は傾斜面３ｃの傾斜角度だけ前方に傾くことになる。
【００２１】
このように、ストロボ３が垂直方向に直線的にポップアップ状態に達すると、傾斜面３ｃの傾斜角度だけ前方に若干傾く。
従って、図２に示すように、ポップアップ状態のストロボ３は前方に若干傾いて、カメラボディ１上方に垂直にチルトアップして表示面を前方へ向けた状態の表示ユニット７から前方に退避することができる。
【００２２】
また、カメラボディ１上方に表示ユニット７を垂直方向にチルトアップして表示面を前方へ向けた所謂自分撮り状態において、ポップアップ状態のストロボ３の発光部３ａの光軸も前方に若干傾くことから、自分を含む近景撮影での被写体に対するストロボ光の加減を変えることもできる。
【００２３】
以上、実施形態のポップアップ構造のストロボ３によれば、カメラボディ１内において、ストロボ３の筐体４内への後面下部に、筐体４内のガイド面に当接可能な傾斜面３ｃを形成して、筐体４に対しストロボ３がバネ６の付勢により直線的にポップアップ動作してから傾き動作するので、ストロボ３がポップアップ状態で後面下部の傾斜面３ｃの傾斜角度だけ傾くことによって、カメラボディ１上方に垂直にチルトアップして表示面を前方へ向けた表示ユニット７から退避することができる。
【００２４】
従って、カメラボディ１上にポップアップ状態のストロボ３とチルトアップ状態の表示ユニット７との干渉がなくなり、カメラボディ１の厚さを増やすなどの対応が不要となり、カメラを小型化することができる。
【００２５】
（変形例）
図４はストロボ３のポップアップ構造の変形例を示すもので、図示のように、前述した実施形態の構成に加え、筐体４内の前側ガイド面の上端部に、適度の弾性を具備する緩衝部材９を設置して、ストロボ３の前面下部に、緩衝部材９の下に接触可能なフック部３ｄを一体に形成している。
【００２６】
図示例は、筐体４内の前側ガイド面の上端部に設置された緩衝部材９の下に、ストロボ３の前面下部に設けたフック部３ｄが接触して停止している状態を示している。
【００２７】
前述した実施形態のように、ストロボ３がバネ６の付勢により筐体４と平行を保ちながら下端からスライドポップアップして、筐体４内の前側ガイド面上端部の緩衝部材９下に、ストロボ３の前面下部のフック部３ｄが接触して停止する。
この時点で、バネ６の付勢によって、ストロボ３が緩衝部材９とフック部３ｄの接触部を支点に図中反時計回りに回動し、後面下部の傾斜面３ｃが筐体４のガイド面に接触したところで回動が停止して、ストロボ３が傾斜面３ｃの傾斜角度だけ前方に傾く。
【００２８】
このように、筐体４内に緩衝部材９を設置して、ストロボ３にフック部３ｄを設けてもよい。
【００２９】
（他の変形例）
以上の実施形態においては、カメラとしたが、本発明はこれに限定されるものではなく、カメラを備える携帯電話など他の電子機器であってもよい。
さらに、実施形態では、ストロボとしたが、アンテナやキャリングバッグのハンドルなど他の可動部材であってもよい。
また、傾斜面の傾斜角度等も任意であり、その他、具体的な細部構造等についても適宜に変更可能であることは勿論である。
【００３０】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
本体に対し収納及び突出可能にポップアップ動作する可動部材のポップアップ構造であって、
前記本体に対し前記可動部材を直線的にポップアップ動作してから傾き動作するように組み付けたことを特徴とする可動部材のポップアップ構造。
＜請求項２＞
前記可動部材の前記本体内への収納側端部に、前記本体内のガイド面に当接可能な傾斜面を形成したことを特徴とする請求項１に記載の可動部材のポップアップ構造。
＜請求項３＞
前記可動部材を前記本体から突出する方向に付勢するバネ部材を備えることを特徴とする請求項１または２に記載の可動部材のポップアップ構造。
＜請求項４＞
前記可動部材はカメラボディに組み込まれるストロボで、
前記カメラボディ背面側にヒンジ結合されて、前記カメラボディ上にチルトアップ動作可能な表示ユニットを備えることを特徴とする請求項１から３のいずれか一項に記載の可動部材のポップアップ構造。
＜請求項５＞
請求項１から４のいずれか一項に記載のポップアップ構造による可動部材を備えることを特徴とする電子機器。
【符号の説明】
【００３１】
１  カメラボディ
２  レンズ
３  ストロボ（可動部材）
３ａ  発光部
３ｂ  バネ押え
３ｃ  傾斜面
３ｄ  フック部
４  筐体（本体）
５  ガイド
６  バネ
７  表示ユニット（他の部材）
８  ヒンジ結合部
９  緩衝部材
【図１】
2015055808.tif 000003
【図２】
2015055808.tif 000004
【図３】
2015055808.tif 000005
【図４】
2015055808.tif 000006
【図５】
2015055808.tif 000007
【図６】
2015055808.tif 000008